(57)【要約】【課題】プレーヤーは案内書をポケット等から出し、これを広げてホールの地形等を把握し、しかもスコアカードをポケット等から出して記録するという、かなり忙しない状態におかれることなる。このようにプレー中に余りにも忙しないのでは、プレーに集中できずゴルフの楽しみが半減してしまう。【解決手段】コースに出たプレーヤーは、小冊子３を開いて下ページ１１のホールの概略図１３や上ページ３１の１番ホールの攻め方、ホールの構成の説明としてのグリーン２９の攻め方等を参考にして、プレーを行う。また、スコア記録欄３３にスコアを記録する。このようにプレーヤーは小冊子３だけで、ホールの構成の把握とスコアの記録を行うことができるので、プレー中に忙しなくなることは無く、ゴルフを十分に堪能することができる。【選択図】      図３
2006051048.tif 000002
【特許請求の範囲】
【請求項１】
ゴルフ場の各ホールの地形、ティー、ピンの位置等の構成を示すホール構成図と、ティーからピンまでの距離等の各ホールの構成の説明と、スコア等のプレー結果を記録する記録欄とを具備したことを特徴とするゴルフのプレー結果記録用具。
【請求項２】
請求項１に記載したゴルフのプレー結果記録用具において、ホール構成図はホールの距離に応じて異なる縮尺で記載されていることを特徴とするゴルフのプレー結果記録用具。
【請求項３】
請求項２に記載したゴルフのプレー結果記録用具において、ホール構成図の縮尺をロングホール、ミドルホール、ショートホールの順で大きく設定していることを特徴とするゴルフのプレー結果記録用具。
【請求項４】
請求項２または３に記載したゴルフのプレー結果記録用具において、ホール構成図の縮尺に対応する目盛が形成された距離計測器を備えたことを特徴とするゴルフのプレー結果記録用具。
【請求項５】
請求項４に記載したゴルフのプレー結果記録用具において、距離計測用具は一つであり、当該一つの距離計測器に複数の縮尺に対応する目盛が形成されていることを特徴とするゴルフのプレー結果記録用具。
【請求項６】
請求項４または５において、距離計測器はホール構成図に当てた状態で当該ホール構成図を透視できる材料によって構成されていることを特徴とするゴルフのプレー結果記録用具。
【請求項７】
請求項６に記載したゴルフのプレー結果記録用具において、ホール構成図はそれぞれの縮尺に応じて着色されており、距離計測器はホール構成図の縮尺に応じた目盛が形成され、且つ目盛が形成される部分の周辺を当該目盛が対応するホール構成図の色と同系色としたことを特徴とするゴルフのプレー結果記録用具。
【発明の詳細な説明】
【０００１】
【発明の属する技術分野】
本発明はゴルフのプレー結果記録用具に係り、各ホールの構成を容易に把握でき、且つスコア以外のプレー結果についても詳細に記録することができるゴルフのプレー結果記録用具に関するものである。
【０００２】
【従来の技術】
ゴルフ場には各ホールの地形、ティー、ピンの位置等の構成が記載された案内書（小冊子）が販売されており、プレーヤーはこの案内書を購入して、これを参照しながらプレーする場合がある。特にキャディを伴わない場合には、ホールの地形等についての説明を受けられないため、上記案内書を見ながらプレーすることになる。一方、スコアはゴルフ場備え付けのスコアカードに自ら書き込むことによって記録するのが殆どである。
従って、プレーヤーは案内書をポケット等から出し、これを広げてホールの地形等を把握し、しかもスコアカードをポケット等から出して記録するという、かなり忙しない状態におかれることなる。
【０００３】
【発明が解決しようとする課題】
上記のようにプレー中に余りにも忙しないのでは、プレーに集中できずゴルフの楽しみが半減してしまう。また、ホールの地形等を十分に把握できないままプレーするのではゴルフの醍醐味が薄れてしまうことになる。
また、一打ごとの飛距離やボールの到達地点等、詳細なプレー結果を記録しておきたい者も少なくないが、従来のスコアカードでは詳細なプレー結果を記録することができず、このような要望に応えることができない。
【０００４】
本発明は上記した問題点に鑑みて為されたものであり、ゴルフのプレー中に各コースの構成の把握と、スコアの記録を忙しない状態とならずに行うことができ、さらに詳細なプレー結果を記録することができるゴルフのプレー結果記録用具を提供することを目的とする。
【０００５】
【課題を解決するための手段】
この目的を達成するために、請求項１の発明は、ゴルフ場の各ホールの地形、ティー、ピンの位置等の構成を示すホール構成図と、ティーからピンまでの距離等の各ホールの構成の説明と、スコア等のプレー結果を記録する記録欄とを具備したことを特徴とするゴルフのプレー結果記録用具である。
【０００６】
請求項２の発明は、請求項１に記載したゴルフのプレー結果記録用具において、ホール構成図はホールの距離に応じて異なる縮尺で記載されていることを特徴とするゴルフのプレー結果記録用具である。
【０００７】
請求項３の発明は、請求項２に記載したゴルフのプレー結果記録用具において、ホール構成図の縮尺をロングホール、ミドルホール、ショートホールの順で大きく設定していることを特徴とするゴルフのプレー結果記録用具である。
【０００８】
請求項４の発明は、請求項２または３に記載したゴルフのプレー結果記録用具において、ホール構成図の縮尺に対応する目盛が形成された距離計測器を備えたことを特徴とするゴルフのプレー結果記録用具である。
【０００９】
請求項５の発明は、請求項４に記載したゴルフのプレー結果記録用具において、距離計測用具は一つであり、当該一つの距離計測器に複数の縮尺に対応する目盛が形成されていることを特徴とするゴルフのプレー結果記録用具である。
【００１０】
請求項６の発明は、請求項４または５において、距離計測器はホール構成図に当てた状態で当該ホール構成図を透視できる材料によって構成されていることを特徴とするゴルフのプレー結果記録用具である。
【００１１】
請求項７の発明は、請求項６に記載したゴルフのプレー結果記録用具において、ホール構成図はそれぞれの縮尺に応じて着色されており、距離計測器はホール構成図の縮尺に応じた目盛が形成され、且つ目盛が形成される部分の周辺を当該目盛が対応するホール構成図の色と同系色としたことを特徴とするゴルフのプレー結果記録用具である。
【００１２】
【発明の実施の形態】
以下に、本発明の実施の形態に係るゴルフのプレー結果記録用具１について説明する。
図１に示すようにゴルフのプレー結果記録用具１は、小冊子３と距離計測器５とによって構成されている。
【００１３】
小冊子３の構成について説明する。
図２に小冊子３の表紙７と裏表紙９を示し、この表紙７にはゴルフ場名が印刷され、裏表紙９には例えばレストランの広告が印刷されている。
また、図１に示すように、小冊子３の見開き下ページ１１には１番ホール（ミドルホール、パー４）の構成を示す、縮尺１／３０００のホール構成図としての概略図１３が印刷されている。このホール概略図１３は全体が青色と同系色で印刷されている。
ホール概略図１３には、ホールの地形、例えばラフ１５、フェアウエイ１７、ティーグラウンド１９ａ、１９ｂ、１９ｃ、グリーン２１、バンカー２３の他、プレーヤーが、ホールのどの辺りにいるかを判断する目安になるような複数の樹木２５が描かれている。さらに、ホール概略図上５０ヤード間隔で配置された等間隔線２７が記載され、またａ〜ｇの地点を表すアルファベットが記載されている。
【００１４】
また、ホール概略図１３の下側には、ホールの構成の説明としてのティーグラウンド１９ａ、１９ｂ、１９ｃの各ティーからアルファベットで示された地点までの距離、またピン２９からアルファベットで示された地点までの距離が記載されている。
見開きの上ページ３１には、１番ホールの攻め方、ホールの構成の説明としてのグリーン２９の攻め方が記載され、さらにスコア等のプレー結果を記録する記録欄としてのスコア記録欄３３が設けられている。
また、上ページ３１にはグリーン２９の略図及びグリーン２９の芝の性質（ゴルフボールがどの方向へ転がりやすいか等）を示す記号が記載されている。
【００１５】
小冊子３には、図３に示したようなホール概略図とホールの構成の説明が、１番〜９番ホールを１セットとして、２セット掲載されている。この１番から９番までのホール概略図の縮尺は、ショートホールが１／２０００、ロングホールが１／４０００となっている。従って、ショートホール、ミドルホール、ロングホールのいずれのホール概略図も、小冊子３の見開きの下ページほぼいっぱいの大きさで掲載されることになる。
また、ショートホールの概略図は赤色と同系色で印刷されており、ロングホールは黄色と同系色で印刷されている。
【００１６】
図４に示すように、小冊子３の最終の見開きの上ページ３５にはグリーンフロントエッジまでの距離測定方法等が記載されている。また、下ページ３７にはプレーヤー４人分のプレー結果記録欄としての集計用スコア記入欄３９が設けられている。
【００１７】
距離計測器５の構成について説明する。
距離計測器５は後述するように着色された透視可能な半透明のプラスティックによって構成されており、縦方向に３つのスケール部４１、４３、４５に区分けされている。ショートホール用スケール部４１は赤色が付されており、また縮尺１／２０００のショートホールの概略図を５ヤード刻みで計測できる目盛４１ａが設けられている。またミドルホール用スケール部４３は青色が付されており、また縮尺１／３０００のミドルホールの概略図１３を５ヤード刻みで計測できる目盛４３ａが設けられている。さらにロングホール用スケール部４５は黄色が付されており、また縮尺１／４０００のロングホールの概略図を５ヤード刻みで計測できる目盛４５ａが設けられている。即ち、目盛４１ａ、４３ａ、４５ａの周辺は上記した各色が付されている。
また、図示は省略するが目盛４１ａ、４３ａ、４５ａは目盛上５０ヤードごとに「５０，１００、１５０…」のように数字が記載されて、目盛４１ａ、４３ａ、４５ａを読み取り易いようにしている。
【００１８】
次に、このゴルフのプレー結果記録用具１の使用方法について説明する。
コースに出たプレーヤーは、小冊子３を開いて下ページ１１のホールの概略図１３や上ページ３１の１番ホールの攻め方、ホールの構成の説明としてのグリーン２９の攻め方等を参考して、プレーを行う。また、スコア記録欄３３にスコアを記録する。
このようにプレーヤーは小冊子３だけで、ホールの構成の把握とスコアの記録を行うことができるので、プレー中に忙しなくなることは無く、ゴルフを十分に堪能することができる。
なお、スコアの集計は集計用スコア記録欄３９を用いて行う。
【００１９】
また、プレーの結果をより詳細に記録したい者は、打球の到達地点をホールの概略図１３上に記録することができる。図５に示すように例えばティーグラウンド１９ｂのティーの地点Ｐ１を始点として、第一打のボールの到達地点Ｐ２をバンカー２３や樹木２５の位置から判断して記載する。地点Ｐ１と地点Ｐ２との間の距離を計測する場合は、距離計測器５のミドルホール用スケール部４３をホール概略図１３に当て、このスケール部４３を透視して地点Ｐ１と地点Ｐ２との間の目盛４３ａを読めば、正確な飛距離を知ることができる。前記したようにミドルホールのホール概略図１３は青色と同系色が付されているので、青色のスケール部４３を透かしてホール概略図１３を見ると、地点Ｐ１、Ｐ２が浮かび上がるように見える。従って、地点Ｐ１、Ｐ２を容易に視認することが可能である。
このようにゴルフのプレー結果記録用具１を用いれば、打球の方向、飛距離を正確に記録することができ、しかも距離計測器５によって飛距離を容易に確認することができるので、ゴルフ上達のための有用な資料を得ることができる。
【００２０】
なお、当然であるが、プレーヤーはプレーしているホールの概略図やホールの構成の説明が記載されたページを見たり、またスコアやボールの到達地点の記録を行う。この場合、ミドルホールについては上記したように距離計測器５のミドルホール用スケール部４３を使用したが、ショートホールのホール概略図に対してはショートホールスケール部４１を用い、また、ロングホールのホール概略図に対してはロングホールスケール部４５を用いる。この場合においてもショートホールのホール概略図は赤色と同系色が付されており、ショートホールスケール部４１は赤色に着色されているので、ショートホールスケール部４１をショートホールのホール概略図に当て、透かして見た場合、ティーの地点やボールの到達地点を容易に視認することができる。黄色の同系色で印刷されたロングホールのホール概略図に、黄色のロングホール用スケール４５を当て、透かして見た場合も同様である。
【００２１】
以上、本発明の実施の形態について詳述してきたが、具体的構成は、この実施の形態に限られるものではなく、本発明の要旨を逸脱しない範囲における設計の変更などがあっても発明に含まれる。
例えば、距離計測器５を添付せず、小冊子３単体で使用することも可能である。
また、ホールの構成の説明の内容は上記したものに限らず、より詳細な内容とすることも可能である。
【００２２】
【発明の効果】
以上のように、本発明のゴルフのプレー結果記録用具によれば、ゴルフのプレー中に各コースの構成の把握と、スコアの記録を忙しない状態とならずに行うことができる。さらに詳細なプレー結果を記録することができるようになる。
【図面の簡単な説明】
【図１】本発明の実施の形態に係るゴルフのプレー結果記録用具の斜視図である。
【図２】本発明の実施の形態に係るゴルフのプレー結果記録用具を構成する小冊子の表紙と裏表紙の展開図である。
【図３】本発明の実施の形態に係るゴルフのプレー結果記録用具を構成するホール概略図とホールの構成の説明が記載されたページの図である。
【図４】本発明の実施の形態に係るゴルフのプレー結果記録用具を構成する小冊子の集計用スコア記入欄等が記載されたページの図である。
【図５】ホール概略図に距離計測器を当て打球の飛距離を計測する方法を説明するための図である。
【符号の説明】
１  ゴルフのプレー結果記録用具          ３  小冊子
５  距離計測器            ７  表紙
９  裏表紙            １１  小冊子の見開きの下ページ
１３  ホールの概略図          １５  ラフ
１７  フェアウエイ            １９ａ、１９ｂ、１９ｃ  ティーグラウンド
２１  グリーン          ２３  バンカー
２５  樹木          ２９  ピン
３１  見開きの上ページ          ３３  スコア記録欄
３５  最終の見開きの上ページ    ３７  最終の見開きの下ページ
３９  集計用スコア記録欄          ４１  ショートホール用スケール部
４３  ミドルホール用スケール部          ４５  ロングホール用スケール部
４１ａ、４３ａ、４５ａ  目盛
【図１】
2006051048.tif 000003
【図２】
2006051048.tif 000004
【図３】
2006051048.tif 000005
【図４】
2006051048.tif 000006
【図５】
2006051048.tif 000007